(57)【要約】【課題】室内の壁等に簡単かつ容易に設置可能で、使用後はできるだけ目立たず、かつ邪魔にならないように片付けることが出来る物干し具を提供すること。【解決手段】室内の壁面等に設置して用いられる物干し具であって、（１）壁面等に設置される断面がＣ形の溝を有するカーテンレール様の保持部材、（２）前記保持部材を壁面等に固定するための取付け部材、（３）前記保持部材の溝に摺動自在に係合した複数の支持部材、（４）前記複数の支持部材間に架設するための細長の棒状部材からなる物干し具。支持部材は、保持部材に摺動自在に係合する摺動部と、棒状部材を安定に架設するための架設部を有している。【選択図】図１
0003121955.tif 000002
【実用新案登録請求の範囲】
【請求項１】
室内の壁面等に設置して用いられる物干し具であって、（１）壁面等に設置される断面がＣ形の溝を有するカーテンレール様の保持部材、（２）前記保持部材を壁面等に固定するための取付け部材、（３）前記保持部材の溝に摺動自在に係合した複数の支持部材、（４）前記複数の支持部材間に架設するための細長の棒状部材からなることを特徴とする物干し具。
【請求項２】
保持部材が、複数の部材からなることを特徴とする請求項１記載の物干し具。
【請求項３】
支持部材が、複数の摺動部と複数の架設部を有することを特徴とする請求項１又は２記載の物干し具。
【考案の詳細な説明】
【技術分野】
【０００１】
本考案は、室内の壁面等に設置して用いられる、簡便な物干し具に関する。
【背景技術】
【０００２】
室内や廊下等の屋内で洗濯物を乾燥させるために、あるいは毛布や布団を干すために、従来、色々な物干し具が提案されている。最近でも、例えば、屋内のカーテンレールを利用して設置された洗濯物等の干し台（特許文献１）や、カーテンレールに懸架して用いる物干し用の懸架具（特許文献２）が提案されている。また、屋内の天井から懸架したり壁面間に物干し竿を装架できるようにした室内用物干し具（特許文献３）、あるいは屋内に設置して用いるコンパクトで収納可能な物干し具（（特許文献４と５）も知られている。
【特許文献１】特開２００３−２２０２９８号公報
【特許文献２】特開２００３−１１７２９４号公報
【特許文献３】特開２００３−２１０８９５号公報
【特許文献４】特開２００１−３２１６００号公報
【特許文献５】登録実用新案第３０３９８７８号
【０００３】
室内等で用いる物干し具は、必要時には簡単かつ容易に設置可能で、使用後はできるだけ目立たず、かつ邪魔にならないように片付けることが出来るものでなければならない。また、室内用とはいえ、干し物によっては相当な重量にも耐えるものであることも必要である。更に、物干し具を構成する部品の数等も少なく、製作コストもできるだけ安いものであるものが好ましい。かかる観点から、従来提案されているものは、必ずしも十分なものではない。
【考案の開示】
【考案が解決しようとする課題】
【０００４】
本考案は、室内の壁等に簡単かつ容易に設置可能で、使用後はできるだけ目立たず、かつ邪魔にならないように片付けることが出来る物干し具を提供することを目的とする。
【課題を解決するための手段】
【０００５】
本考案の請求項1に記載された考案は、室内の壁面等に設置して用いられる物干し具であって、（１）壁面等に設置される断面がＣ形の溝を有するカーテンレール様の保持部材、（２）前記保持部材を壁面等に固定するための取付け部材、（３）前記保持部材の溝に摺動自在に係合した複数の支持部材、（４）前記複数の支持部材間に架設するための細長の棒状部材からなることを特徴とする物干し具である。
【０００６】
本考案の請求項２に記載された考案は、保持部材が、複数の部材からなることを特徴とする請求項１記載の物干し具である。
【０００７】
本考案の請求項３に記載された考案は、支持部材が、複数の摺動部と複数の架設部を有することを特徴とする請求項１又は２記載の物干し具である。
【考案の効果】
【０００８】
本考案の物干し具は、室内の壁等に簡単かつ容易に設置可能で、室内の壁等に固定されているので安定しており倒れることもない。更に、設置しても目立たず、嵩張らず、邪魔にならない。また、毛布や敷布等の広幅の物も干すことができる。そして、使用後はできるだけ目立たず、かつ邪魔にならないように片付けることが出来る。部品の数や形状も簡単で、製作コスト的にも有利である。
【考案を実施するための最良の形態】
【０００９】
本考案は、室内の壁面等に設置して用いられる物干し具であるが、室内の壁面等とは、室内の壁面の他、廊下の壁面、洗面所の壁面、ベランダの壁面等の屋内（ベランダやテラスを含む）にある壁面を含むものである。また、物干し具の材質は、木製、アルミあるいはステンレス等の金属製、プラスチック製等どのようなものでもかまわない。
【００１０】
以下、図面を参照しながら本考案を説明する。図１は本考案の物干し具が壁面に設置されている状態を示す。図１において、１は壁面等に設置される断面がＣ形の溝７を有するカーテンレール様の保持部材である。本考案において断面がＣ形の溝とは、アルファベットのＣ文字の形状のものだけでなく、それに類似した、例えば、図２にその断面を示したような、一部が開口した四角形の溝７も含むものである。
【００１１】
２は前記保持部材を壁面等に固定するための取付け部材であり、３は前記保持部材の溝７に摺動自在に係合した支持部材である。支持部材は２個以上必要であるが、図１では一つのみ示されている。４は支持部材の摺動部である。５は前記複数の支持部材間に架設するための細長の棒状部材であり、６は支持部材に設けられた棒状部材の架設部である。図１に示したように本考案の支持部材３は、摺動部４と架設部６を有している。
【００１２】
壁面等に設置される断面がＣ形の溝７を有するカーテンレール様の保持部材１は、長さや幅や厚さは任意であるが、幅は１〜５ｃｍ、厚さは５ｍｍ〜２ｃｍ、長さは１〜５ｍ程度が適当である。この保持部材を壁面等に固定する取付け部材２は、どのように形状のものでもかまわないし、また固定の仕方もネジやビス止、接着剤による方法等任意で良い。保持部材と取り付け部材は一体的に形成されていても良い。また、例えば、カーテンレールを代用して保持部材として利用することもできる。
【００１３】
図１では、２本の保持部材が平行に設置されている状態を示しているが、保持部材は１本でも良いし、１本の板状の部材に２つのＣ形の溝が形成されているものでも良い。ただ、後述の支持部材の安定性を考慮すると、溝は２つあるのが好ましい。保持部材が１本の場合には、保持部材と溝の幅を広くする必要がある。また、１本の保持部材は芯鞘状のスライドによる伸縮自在のものであっても良い。
【００１４】
前記保持部材１の溝７に摺動自在に係合した支持部材３は、摺動部４と後述の棒状部材を架設するための架設部６を有する限り、どのような形状のものでも良い。図１では、支持部材３に摺動部４が二つ設けられている。摺動部４は、支持部材３を、保持部材１に安定的に係合すると共に、保持部材１に沿って任意の場所に摺動し移動する機能を有する。保持部材の溝が１つのときは、通常、摺動部は一つでも良い。しかし、保持部材の溝が１つでも、支持部材に二股状に二つの摺動部を設けても良い。図１に示したように、保持部材が２本で、一つの支持部材が、それぞれの保持部材の溝に摺動自在に係合する二つの摺動部を有しているものが、安定性の点で好ましい。
【００１５】
前記支持部材は複数、好ましくは２〜４個用いられるが、保持部材に係合する複数の支持部材間には、細長の棒状部材５が架設される。細長の棒状部材５とは、いわゆる物干し竿であって、長さ、太さ、形状等特に限定されるものではない。そして、各支持部材３には、棒状部材５を安定に架設するための架設部６が設けられる。架設部６の形状は、支持部材３に設けられた凹部、孔、突起等任意である。複数の棒状部材を架設するためには、複数の架設部を設けるのが好ましい。
【００１６】
なお、図示はしていないが、本考案の物干し具においては、物干しが終了した際に、架設部から取り外した前記棒状部材を、邪魔にならないように架設保管するためのフック等を、前記保持部材の上部等に取り付けても良い。
【００１７】
図２と図３は、本考案の保持部材１の溝７と支持部材３の摺動部４と架設部６の、形状の例を示す断面図である。保持部材１の溝７に支持部材３を摺動自在に係合させる態様は、例えば、２本の保持部材を用いる場合には、図２に示したように、Ｃ形溝７の開口部が共に壁面等と反対側に向いていても良く、あるいは、図３に示したように、開口部が互いに対向していても良い。図２において、支持部材３の棒状部材の架設部６は、支持部材３に設けられた窪み（凹部）であり、棒状部材が安定に架設される。また、図３に示すように、架設部６は、支持部材３の腕の部分に突起を設けたものであっても良い。あるいは、腕の部分に棒状部材の通し穴が形成されたものであっても良い。
【００１８】
本考案の物干し具は、室内の壁面等に簡単に設置でき、物干しが終了又は不要な場合には、棒状部材を取り外し、複数の支持部材は取り外すか又は保持部材の片方にまとめて異動させて置くなどして、部屋や廊下を使用する際に邪魔にならないようにすることができる。また、保持部材自体も、伸縮自在のものであれば、一部収納して嵩張らないようにすることもできる。
【図面の簡単な説明】
【００１９】
【図１】本考案の物干し具が、壁面に設置されている状態を示す図である。
【図２】本考案の保持部材の溝と、支持部材の摺動部と架設部の断面形状の一例を示す説明図である。
【図３】本考案の保持部材の溝と、支持部材の摺動部と架設部の断面形状の他の例を示す説明図である。
【符号の説明】
【００２０】
１  保持部材
２  取付け部材
３  支持部材
４  支持部材の摺動部
５  棒状部材
６  支持部材の架設部
７  保持部材の溝
【図１】
0003121955.tif 000003
【図２】
0003121955.tif 000004
【図３】
0003121955.tif 000005